【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
ペット噛み具を形成するプロセスであって、
第１の押出し機のダイプロファイル形状を提供する前記第１の押出し機のダイを用いて動作可能な前記第１の押出し機および第２の押出し機のダイプロファイル形状を提供する前記第２の押出し機のダイを用いて動作可能な前記第２の押出し機を設けること、
栄養性添加剤を含む第１の組成物を前記第１の押出し機に、また、第２の組成物を前記第２の押出し機に提供すること、
前記第１の押出し機及び前記第１の押出し機の前記ダイを通して前記第１の組成物を押出し処理し、前記第１の押出し機のプロファイル形状を有する第１の押出し物を形成すること、
前記第２の押出し機及び前記第２の押出し機の前記ダイを通して前記第２の組成物を押出し処理し、前記第２の押出し機のプロファイル形状を有する第２の押出し物を形成すること、
前記第１の押出し機の前記ダイと前記第２の押出し機の前記ダイの下流に位置する結合ダイを用いて、前記第１の押出し物と前記第２の押出し物とを結合することを含み、
前記第１の押出し機は、選択されたバレル温度（ＢＴ1）、前記第１の組成物のための選択された滞留時間（ＲＴ1）、および選択されたせん断速度（γ1）で動作し、
前記第２の押出し機は、選択されたバレル温度（ＢＴ2）、前記第２の組成物のための選択された滞留時間（ＲＴ2）、および選択されたせん断速度（γ2）で動作し、
以下の条件、すなわち、
ＢＴ1＜ＢＴ2
ＲＴ1＜ＲＴ2
γ1＜γ2
の少なくとも１つが存在し、
前記第１の押出し物は外側層を提供し、前記第２の押出し物はコアを提供し、
前記第１の組成物の前記栄養性添加剤は高温で劣化可能である及び／又はせん断で劣化可能である栄養性添加剤であり、
前記第１の組成物の前記栄養性添加剤は、前記第２の組成物中には存在しない、プロセス。
【請求項２】
以下の条件、すなわち、ＢＴ1＜ＢＴ2；ＲＴ1＜ＲＴ2；γ1＜γ2の少なくとも２つが存在する請求項１に記載のプロセス。
【請求項３】
以下の条件、すなわち、ＢＴ1＜ＢＴ2；ＲＴ1＜ＲＴ2；γ1＜γ2が存在する請求項１に記載のプロセス。
【請求項４】
前記第１の組成物の前記栄養性添加剤は、ビタミンか、ミネラルか、またはハーブを含み、前記組成物内の２５重量％以上の前記栄養性添加剤は、前記第１の押出し機内での処理後に非劣化のままである請求項１に記載のプロセス。
【請求項５】
前記第１および第２の組成物は、澱粉、グルテン、炭水化物、生皮、または肉のうちの１つを含む請求項１に記載のプロセス。
【請求項６】
前記第１および第２の組成物は生澱粉を含む請求項１に記載のプロセス。
【請求項７】
ペット噛み具を形成するプロセスであって、
第１の押出し機のダイプロファイル形状を提供する前記第１の押出し機のダイを用いて動作可能な第１の押出し機、第２の押出し機のダイプロファイル形状を提供する前記第２の押出し機のダイを用いて動作可能な第２の押出し機、および第３の押出し機のダイプロファイル形状を提供する前記第３の押出し機のダイを用いて動作可能な第３の押出し機を設けること、
栄養性添加剤を含む第１の組成物を前記第１の押出し機に、また、第２の組成物を前記第２の押出し機に、また、栄養性添加剤を含む第３の組成物を前記第３の押出し機に提供すること、および、
前記第１の押出し機及び前記第１の押出し機の前記ダイを通して前記第１の組成物を押出し処理し、前記第１の押出し機のプロファイル形状を有する第１の押出し物を形成すること、
前記第２の押出し機及び前記第２の押出し機の前記ダイを通して前記第２の組成物を押出し処理し、前記第２の押出し機のプロファイル形状を有する第２の押出し物を形成すること、
前記第３の押出し機及び前記第３の押出し機の前記ダイを通して前記第３の組成物を押出し処理し、前記第３の押出し機のプロファイル形状を有する第３の押出し物を形成すること、
前記第１の押出し機の前記ダイと前記第２の押出し機の前記ダイと前記第３の押出し機の前記ダイの下流に位置する結合ダイを用いて、前記第１の押出し物と前記第２の押出し物と前記第３の押出し物を結合することを含み、
前記第１の押出し機は、選択されたバレル温度（ＢＴ1）、前記第１の組成物のための選択された滞留時間（ＲＴ1）、および選択されたせん断速度（γ1）で動作し、
前記第２の押出し機は、選択されたバレル温度（ＢＴ2）、前記第２の組成物のための選択された滞留時間（ＲＴ2）、および選択されたせん断速度（γ2）で動作し、
前記第３の押出し機は、選択されたバレル温度（ＢＴ3）、前記第３の組成物のための選択された滞留時間（ＲＴ3）、および選択されたせん断速度（γ3）で動作し、
以下の条件、すなわち、
ＢＴ1＜ＢＴ2
ＲＴ1＜ＲＴ2
γ1＜γ2
の少なくとも１つが存在し、
以下の条件、すなわち、
ＢＴ3＜ＢＴ2
ＲＴ3＜ＲＴ2
γ3＜γ2
の少なくとも１つが存在し、
前記第１の押出し物及び第３の押出し物は外側層を提供し、前記第２の押出し物はコアを提供し、
前記第１の組成物の前記栄養性添加剤は高温で劣化可能である及び／又はせん断で劣化可能である栄養性添加剤であり、
前記第１の組成物の前記栄養性添加剤は、前記第２の組成物中には存在しない、プロセス。
【請求項８】
以下の条件、すなわち、ＢＴ1＜ＢＴ2；ＲＴ1＜ＲＴ2；γ1＜γ2の少なくとも２つが存在する請求項７に記載のプロセス。
【請求項９】
以下の条件、すなわち、ＢＴ1＜ＢＴ2；ＲＴ1＜ＲＴ2；γ1＜γ2が存在する請求項７に記載のプロセス。
【請求項１０】
以下の条件、すなわち、ＢＴ3＜ＢＴ2；ＲＴ3＜ＲＴ2；γ3＜γ2の少なくとも２つが存在する請求項７に記載のプロセス。
【請求項１１】
以下の条件、すなわち、ＢＴ3＜ＢＴ2；ＲＴ3＜ＲＴ2；γ3＜γ2が存在する請求項７に記載のプロセス。
【請求項１２】
前記第１の組成物の前記栄養性添加剤は、ビタミンか、ミネラルか、またはハーブを含み、前記組成物内の２５重量％以上の前記栄養性添加剤は、前記第１の押出し機内での処理後に非劣化のままである請求項７に記載のプロセス。
【請求項１３】
前記第１および第２の組成物は、澱粉、グルテン、炭水化物、生皮、または肉のうちの１つを含む請求項７に記載のプロセス。
【請求項１４】
前記第１および第２の組成物は生澱粉を含む請求項１に記載のプロセス。
【請求項１５】
ペット噛み具を形成するプロセスであって、
第１の押出し機のダイプロファイル形状を提供する前記第１の押出し機のダイを用いて動作可能な第１の押出し機、第２の押出し機のダイプロファイル形状を提供する前記第２の押出し機のダイを用いて動作可能な第２の押出し機、および第３の押出し機のダイプロファイル形状を提供する前記第３の押出し機のダイを用いて動作可能な第３の押出し機を設けること、
栄養性添加剤を含む第１の組成物を前記第１の押出し機に、また、第２の組成物を前記第２の押出し機に、また、栄養性添加剤を含む第３の組成物を前記第３の押出し機に提供すること、および、
前記第１の押出し機及び前記第１の押出し機の前記ダイを通して前記第１の組成物を押出し処理し、前記第１の押出し機のプロファイル形状を有する第１の押出し物を形成すること、
前記第２の押出し機及び前記第２の押出し機の前記ダイを通して前記第２の組成物を押出し処理し、前記第２の押出し機のプロファイル形状を有する第２の押出し物を形成すること、
前記第３の押出し機及び前記第３の押出し機の前記ダイを通して前記第３の組成物を押出し処理し、前記第３の押出し機のプロファイル形状を有する第３の押出し物を形成すること、
前記第１の押出し機の前記ダイと前記第２の押出し機の前記ダイと前記第３の押出し機の前記ダイの下流に位置する結合ダイを用いて、前記第１の押出し物と前記第２の押出し物と前記第３の押出し物を結合することを含み、
前記第１、前記第２、及び第３の押出し機を通して前記第１、前記第２、及び第３の組成物を処理し、それにより、その後、互いに結合される第１、第２、及び第３の押出し物を形成し、
前記第１の押出し機は、選択されたバレル温度（ＢＴ1）、前記第１の組成物のための選択された滞留時間（ＲＴ1）、および選択されたせん断速度（γ1）で動作し、
前記第２の押出し機は、選択されたバレル温度（ＢＴ2）、前記第２の組成物のための選択された滞留時間（ＲＴ2）、および選択されたせん断速度（γ2）で動作し、
前記第３の押出し機は、選択されたバレル温度（ＢＴ3）、前記第３の組成物のための選択された滞留時間（ＲＴ3）、および選択されたせん断速度（γ3）で動作し、
以下の条件、すなわち、
ＢＴ1＜ＢＴ2
ＲＴ1＜ＲＴ2
γ1＜γ2
が存在し、
少なくとも以下の条件、すなわち、
ＢＴ3＜ＢＴ2
ＲＴ3＜ＲＴ2
γ3＜γ2
が存在し、
前記第１の押出し物及び第３の押出し物は外側層を提供し、前記第２の押出し物はコアを提供し、
前記第１の組成物の前記栄養性添加剤は高温で劣化可能である及び／又はせん断で劣化可能である栄養性添加剤であり、
前記第１の組成物の前記栄養性添加剤は、前記第２の組成物中には存在しない、プロセス。
【請求項１６】
前記第１および第３の組成物の前記栄養性添加剤は、ビタミンか、ミネラルか、またはハーブを含み、前記第１および第３の組成物内の２５重量％以上の前記栄養性添加剤は、前記第１および第３の押出し機内での処理後に非劣化のままである請求項１５に記載のプロセス。
【請求項１７】
前記第１、第２、および第３の組成物は、澱粉、グルテン、炭水化物、生皮、または肉のうちの１つを含む請求項１５に記載のプロセス。
【請求項１８】
前記第１、第２、および第３の組成物は生澱粉を含む請求項１５に記載のプロセス。